(57)【特許請求の範囲】
【請求項１】
外扉に取付けられた透明板の内側に区画形成された商品見本展示室に、商品の外観、名称等を表示した商品見本を着脱可能に保持して展示する自動販売機の商品見本展示装置において、商品見本は、円筒形の飲料缶を縦に切断した物と略同形状であって断面が半円弧状の胴部と半月状の上板および底板からなり、外力による変形、および外力を除去した際の復元が可能な成形品で構成し、該見本商品を着脱可能に保持する展示台は、商品見本を載置する水平板、および該水平板に後方で上向きに略垂直に繋がる後壁からなり、前記水平板における商品見本を載置する位置に後壁から前方に略水平に突出する突起を残して穿孔された商品見本の底面より小径の半月状の穴を有し、商品見本の底板の左右端部から内側に向けて水平方向の外力を加えて商品見本の底板を下向きに膨らむように変形させ、該膨らみを前記突起の下側に位置させて商品見本が後壁に当接するまで押し込んで前記外力を除去して底板と突起とを係合させることにより商品見本を展示台に取付けるようにしたことを特徴とする自動販売機の商品見本展示装置。」
【請求項２】
請求項１記載の自動販売機の商品見本展示装置において、前記構成の商品見本の下部の両端部に切断面に沿って下向きに突出した爪を設けるとともに、展示台の前記半月状の穴の両端に後壁に沿ってスリットを設けて、商品見本を展示台に取り付ける際に前記底板の膨らみを前記突起に係合させるとともに、前記爪を前記スリットに係止するようにしたことを特徴とする自動販売機の商品見本展示装置。
【発明の詳細な説明】
【０００１】
【発明の属する技術分野】
この発明は、外扉の最外側に取付けられた透明板の内側に区画形成された商品見本展示室に、商品の外観、名称等を表示した商品見本を着脱可能に保持して展示する自動販売機の商品見本展示装置に関する。
【０００２】
【従来の技術】
図３はこの発明の対象となる商品見本と展示台とを備えた自動販売機の外観図を示す。この図３において、１０は本体キャビネットであり、図示されていないが、その下部は冷凍機を収納した機械室として使用され、機械室の上部は前面を除いて断熱壁を配し、さらに断熱性の仕切板により複数部屋に分割されている。その分割された個々の部屋は冷風、温風、または冷風と温風とを季節により切り換える送風により、冷蔵庫、または温蔵庫として使用される。
【０００３】
そして、前記冷蔵庫、または温蔵庫には商品収納棚が装着されその中に商品を冷蔵または温蔵する。これら冷蔵庫、および温蔵庫の前面は開閉可能な断熱性の内扉で閉鎖され、さらに内扉の外側に外扉１１が本体キャビネット１０にヒンジ取り付けされて、本体キャビネット１０の前面を開閉可能に閉鎖している。
外扉１１には、販売商品を展示する展示室７と、商品選択ボタン９、硬貨投入口１２、返却レバー１３、硬貨返却口１６、商品取出口１４等の操作部とが設けられている。そして、顧客が外扉１１の商品見本１を見て商品を購入する際に、硬貨投入口１２に商品の代価を投入し、商品選択ボタン９を押して、本体キャビネット１０の商品収納棚（図示せず）から搬出され、シュータ（図示せず）を経て商品取出口１４に搬出された商品を商品取出口１４の前面を揺動可能に覆うフラッパを開けて取り出す。
【０００４】
自動販売機の前面の展示室７に陳列展示された商品見本１を載置した展示台２は、販売する商品が自動販売機内に収納されているため、商品を広告宣伝すると同時に、顧客の商品選択を容易にするために必要である。
また、展示室７の展示台以外の空きスペースは広告掲載場所１５として使用されている。
【０００５】
図４は従来例の商品見本の構成を示し、（ａ）は正面図、（ｂ）は（ａ）のＡ−Ａ断面図を示す。また、図５は従来例の商品見本を展示する展示室の構成を示し、（ａ）は断面図、（ｂ）は側断面図、（ｃ）は商品見本を展示台の水平板に取り付ける取付穴の図を示す。この図４、図５において、１は円筒形の飲料缶を縦に切断した物と略同形状で断面を半円弧状に形成した胴部１ａ、および胴部１ａの底板１ｂと、胴部１ａと同心で胴部１ａより小径の部分を段差を付けて下げた底板１ｃとを繋ぐ半円筒部１ｄ、該半円筒部１ｄの垂直面には上段の底板１ｂとの間に間隙を設けて突起した複数個の抜け止め１ｅ，切断面に沿って缶底から僅かにはみ出して、缶底の横方向は半円筒部１ｄの端部と胴部１ａの端部との範囲内で下向き突出して形成した爪１ｆを有し、底板１ｂ、半円筒部１ｄ、および底板１ｃを透明にした成形品で構成した商品見本であり、胴部１ａには商品の外観、名称等を表示している。
【０００６】
この商品見本１を展示する展示台２は、商品見本を載置する水平板２ａ，および該水平板２ａの後方で上向きに垂直に折り曲げて形成した後壁２ｂを有しており、商品見本１が後壁２ｂに当接して載置される位置の水平板２ａには商品見本の半円筒部１ｄが嵌まり込む半月状の穴２ｃと両端部に後壁に沿って開けられたスリット２ｄが穿孔されており、水平板２ａの下側には商品見本１をその底板１ｃ、１ｂおよび半円筒部１ｄを通して照明する蛍光灯４が取付けられている。
【０００７】
また、後壁２ｂの下側には商品見本１の半円筒部１ｄの端部および爪１ｆに当接して商品見本１を後方から支持する支持板３が後壁２ｂの後面に溶着されている。上記の構成で商品見本１はその半円筒部１ｄと爪１ｆとを展示台２の半月状の穴２ｃとスリット２ｄとにそれぞれ嵌め込み底板１ｂと半円筒部１ｄの表面から突起させた抜け止め１ｅとで水平板２ａを挟むとともに、爪１ｆをスリット２ｄに係合して，爪１ｆと半円筒部１ｄと支持板３に当接して取付けられる。
【０００８】
上記のように構成された商品見本１と展示台２とは、自動販売機の外扉の最外側の透明板５と外扉にヒンジ取付けされた中扉６との間に区画成形された展示室７に中扉６に取付けられて配置される。
また、展示台２の前面には商品見本１に対応する商品の代価および冷・温いずれかの保管状態を記載した表示板８が取付けられ、透明板５の前面には商品見本１および表示板８に対応した商品選択ボタン９が取付けられている。
【０００９】
【発明が解決しようとする課題】
ところで従来の構造では、商品見本を固定するのに上段の底板と半円筒部の抜け止めとで水平板を挟むとともに、爪をスリット２ｄに係合して取付けるだけでは、展示台の前記水平板が薄いために、また半月状の穴に上から挿入するために突起の突き出し長さを長くして突起と上段の底板で水平板を挟む距離を長くすることができないために商品見本が傾いた際にそれを拘束して垂直に保つことはできないので展示台の後壁に沿って下向きに延ばした支持板を付けている。
【００１０】
また、胴部の下の胴部より小径の半円筒部を設けているのでその分成形型が複雑になり、また半円筒部の高さ分展示台が高くなる。
この発明は上記課題を解決するためになされたもので、その目的とするところは、商品見本の構成を簡単にし、かつ展示台への取付けが強固になる自動販売機の商品見本展示装置を提供することにある。
【００１１】
【課題を解決するための手段】
上記課題を解決するために請求項１記載の発明は、外扉に取付けられた透明板の内側に区画形成された商品見本展示室に、商品の外観、名称等を表示した商品見本を着脱可能に保持して展示する自動販売機の商品見本展示装置において、商品見本は、円筒形の飲料缶を縦に切断した物と略同形状であって断面が半円弧状の胴部と半月状の上板および底板からなり、外力による変形、および外力を除去した際の復元が可能な成形品で構成し、該見本商品を着脱可能に保持する展示台は、商品見本を載置する水平板、および該水平板に後方で上向きに略垂直に繋がる後壁からなり、前記水平板における商品見本を載置する位置に後壁から前方に略水平に突出する突起を残して穿孔された商品見本の底面より小径の半月状の穴を有し、商品見本の底板の左右端部から内側に向けて水平方向の外力を加えて商品見本の底板を下向きに膨らむように変形させ、該膨らみを前記突起の下側に位置させて商品見本が後壁に当接するまで押し込んで前記外力を除去して底板と突起とを係合させることにより商品見本を展示台に取付けるようにしたことを特徴とする。
【００１２】
上記構成により、商品見本の底板の左右端部から内側に向けて水平方向の外力を加えて商品見本の底板を下向きに膨らむように変形させ、該膨らみを前記突起の下側に位置させて商品見本が後壁に当接するまで押し込んで前記外力を除去することにより、商品見本の底板の復元が突起で抑制されて、そこからさらに復元しようとする力で商品見本の底板を前記突起の下側に押しつけるとともに、展示台の水平板に乗っている商品見本の底板を前記水平板に押しつけるので商品見本を展示台に固定することが可能になる。
【００１３】
また、請求項２記載の発明のように、請求項１記載の自動販売機の商品見本展示装置において、前記構成の商品見本の下部の両端部に切断面に沿って下向きに突出した爪を設けるとともに、展示台の前記半月状の穴の両端に後壁に沿ってスリットを設けて、商品見本を展示台に取り付ける際に前記底板の膨らみを前記突起に係合させるとともに、前記爪を前記スリットに係止することができる。
【００１４】
上記構成により、前記爪を前記スリットに係止することにより抜け止めができるので商品見本の展示台への取付けがさらに強固になる。
【００１５】
【発明の実施の形態】
図１はこの発明の実施例の商品見本の構成を示し、（ａ）は正面図、（ｂ）は側面図、（ｃ）は（ａ）を底から見た図を示す。また、図２はこの発明の商品見本を取り付ける展示台の構成を示し、（ａ）は展示室の側面図、（ｂ）は商品見本を固定した部分の側断面図、（ｃ）は商品見本を固定する穴の図を示す。この図１以降において、従来例と同一の符号を付けた部材はおおよそ同一の機能を有するのでその説明は省略する。この図１、図２において、１は商品見本であり、飲料缶を縦に切断した物と略同形状で断面が半円弧状の胴部１ａ，該胴部１ａの上板および底板１ｇ，および切断面に沿って底板１ｇの左右の端部から下向きに突出した爪１ｈを備えており、胴部１ａには商品の外観、名称等を表示し、底板１ｇは透明に形成されている。
【００１６】
この商品見本１を展示する展示台２は、商品見本を載置する水平板２ａ，および該水平板２ａの後方で上向きに垂直に折り曲げて形成した後壁２ｂを有しており、商品見本１が後壁２ｂに当接して載置される位置の水平板２ａには商品見本の底板１ｇを係止する突起２ｅを残した、底板１ｇと同心で底板１ｇより小径の半月状の穴２ｃと、該穴２ｃの両端部に後壁に沿って開けられたスリット２ｄが穿孔されており、水平板２ａの下側には商品見本１をその底板１ｇを通して照明する蛍光灯４が取付けられている。
【００１７】
上記の構成で商品見本１の下部に略水平方向の外力を加えて底板１ｇを下向きに膨らませるとともに、爪１ｈを内側に寄せて底板１ｇの膨らみを水平板２ａの半月状の穴２ｃに残された突起２ｅの下側に係合させて商品見本１が後壁２ｂに当接するまで後壁２ｂ方向に押し込んでから外力を除去することにより爪１ｈがスリット２ｄに係止するとともに、底板１ｇが復元しようとして突起２ｅに当接し、水平板２ａに乗っている底板１ｇを水平板２ａに押しつけて商品見本１を展示台２に固定する。
【００１８】
上記のように構成された商品見本１と展示台２とを展示する展示室は、商品見本１を載置した展示台２を、自動販売機の外扉の最外側の透明板５と外扉にヒンジ取付けされた中扉６との間に区画成形された展示室７に、中扉６に取付けられ、また、展示台２の前面には商品見本１に対応する商品の代価および冷・温いずれかの表示を記載した表示板８が取付けられ、透明板５の前面には商品見本１および表示板８に対応した商品選択ボタン９が取付けられて構成されている。
【００１９】
【発明の効果】
この発明によれば、商品見本の底板を展示台の半月状の穴の中に残された突起に係合させて商品見本を展示台に取付けているので商品見本の底板と商品見本を照明する蛍光灯との距離Ｄ（図２（ａ）参照）が従来例の底板を２段にした商品見本（図４（ａ）参照）に比べて大きくなるので、その分展示台を低くでき、展示室内の広告掲載場所を広げる効果がある。
【図面の簡単な説明】
【図１】この発明の実施例の商品見本の構成を示し、（ａ）は正面図、（ｂ）は側面図、（ｃ）は（ａ）を底から見た図
【図２】この発明の商品見本を取り付ける展示台の構成を示し、（ａ）は展示室の側面図、（ｂ）は商品見本を固定した部分の側断面図、（ｃ）は商品見本を固定する穴の図
【図３】この発明の対象となる商品見本と展示台とを備えた自動販売機の外観図
【図４】従来例の商品見本の構成を示し、（ａ）は正面図、（ｂ）は（ａ）のＡ−Ａ断面図
【図５】従来例の商品見本を展示する展示室の構成を示し、（ａ）は断面図、（ｂ）は側断面図、（ｃ）は商品見本を展示台の水平板に取り付ける取付穴の図
【符号の説明】
１        商品見本
１ａ      胴部
１ｇ      上板、底板
１ｈ      爪
２        展示台
２ａ      水平板
２ｂ      後壁
２ｃ      穴
２ｄ      スリット
２ｅ      突起
９        商品選択ボタン
１０        本体キャビネット
１１        外扉
１２        硬貨投入口
１３        返却レバー
１４        商品取出口
１５        広告掲載場所
１６        硬貨返却口
【図１】
0003591173.tif 000002
【図２】
0003591173.tif 000003
【図３】
0003591173.tif 000004
【図４】
0003591173.tif 000005
【図５】
0003591173.tif 000006